(57)【要約】  製品を保管するように構成された容器は、底壁および側壁を有する本体を含む。底壁および側壁は、製品の保管用に適合された内部保管区画を画定する。側壁は外周面を有する。カバーは、本体と取り外し可能に係合するように構成されている。カバーは、上壁と、内面を有する周辺フランジとを含む。内面は、境界面を形成するように、カバーが側壁の外周面の上で受けられたとき基部と相互作用するように構成されている。ラベルは、実質的に境界面を覆うように構成されており、ラベルは、容器の外面とラベルの裏面との間に位置決めされ、かつ実質的にカバーと本体の境界面に配置された引き裂き糸を含む。
2021514908.tif 000002
【特許請求の範囲】
【請求項１】
底壁および側壁を有する本体であって、底壁および側壁は、製品の保管用に構成された内部保管区画を画定し、側壁が外周面を有する本体と、
本体と取り外し可能に係合するように構成されたカバーであって、上壁と、内面を有する周辺フランジとを有し、内面が、境界面を形成するように、カバーが側壁の外周面上で受けられたときに本体と相互作用するように構成されているカバーと、
境界面の少なくとも一部を実質的に覆うように構成されたラベルであって、容器の外面とラベルの裏面との間に位置決めされた引き裂き糸を備えるラベルと
を備える容器。
【請求項２】
本体がポリマー材料で構成され、カバーが金属材料で構成される、請求項１に記載の容器。
【請求項３】
側壁が、側壁の上部に配置されたネック領域を備え、ネック領域が、側壁の下部の直径と比較して縮小された直径を有し、カバーの内面が、ネック領域と相互作用するように構成されている、請求項１に記載の容器。
【請求項４】
容器は、側壁の外周面の周りにポリマー本体と一体式に形成され、かつ、そこから半径方向外向きに延在する周方向のリブ構造をさらに備え、リブ構造は、側壁の外周面の周りに周方向に延在する複数のリブセグメントを備え、リブセグメントが、それらの間に通気チャネルを形成するように離間されている、請求項１に記載の容器。
【請求項５】
境界面で、側壁はリップを画定し、カバーの周辺フランジがリップに当接する、請求項１に記載の容器。
【請求項６】
ラベルの裏面の少なくとも一部が接着材料を具備する、請求項１に記載の容器。
【請求項７】
ラベルの裏面全体が接着剤層を備える、請求項１に記載の容器。
【請求項８】
引き裂き糸が、引き裂き糸がカバーと本体の境界面と実質的に整列するように位置決めされる、請求項１に記載の容器。
【請求項９】
ラベルは特定の長さを有し、引き裂き糸は、ラベルの全長に亘って延在する、請求項１に記載の容器。
【請求項１０】
ラベルは特定の長さを有し、引き裂き糸は、その長さの一部に沿って延在する、請求項１に記載の容器。
【請求項１１】
ラベルは特定の長さを有し、引き裂き糸は、ラベルの長さを超えて延在する部分を含む、請求項１に記載の容器。
【請求項１２】
ラベルは実質的に境界面全体を覆う、請求項１に記載の容器。
【請求項１３】
内部保管区画は複数の製品を含む、請求項１〜１２のいずれか一項に記載の容器。
【請求項１４】
製品は喫煙製品および無煙タバコ製品の内の１つである、請求項１３に記載の容器。
【請求項１５】
パッケージ化された製品組立体を組み立てる方法であって、
底壁および側壁を有する本体を提供することであって、底壁および側壁が、製品の保管用に適合された内部保管区画を画定し、側壁が外周面を有することと、
本体と取り外し可能に係合するように構成されたカバーを提供することであって、カバーは、上壁と、内面を有する周辺フランジとを有し、内面は、境界面を形成するように、カバーが側壁の外周面上で受けられたとき本体と相互作用するように構成されていることと、
製品を提供することと、
製品を内部保管区画に挿入することと、
カバーを本体と結合することと、
ラベルで容器を密封することであって、ラベルが、境界面の少なくとも一部を実質的に覆うように構成されており、かつラベルが、ラベルの裏面に接着された引き裂き糸を備えることと
を備える、パッケージ化された製品組立体の組立方法。
【請求項１６】
本体がポリマー材料で構成され、カバーが金属材料で構成される、請求項１５に記載の方法。
【請求項１７】
ラベルの裏面の少なくとも一部が接着材料を具備する、請求項１５に記載の方法。
【請求項１８】
ラベルの裏面全体が接着剤層を備える、請求項１５に記載の方法。
【請求項１９】
引き裂き糸が、境界面と実質的に整列するように位置決めされる、請求項１５に記載の方法。
【請求項２０】
ラベルが特定の長さを有し、引き裂き糸が、ラベルの全長に亘って延在する、請求項１５に記載の方法。
【請求項２１】
ラベルが特定の長さを有し、引き裂き糸が、その長さの一部に沿って延在する、請求項１５に記載の方法。
【請求項２２】
ラベルが特定の長さを有し、引き裂き糸が、ラベルの長さを超えて延在する部分を備える、請求項１５に記載の方法。
【請求項２３】
ラベルは実質的に境界面全体を覆う、請求項１５に記載の方法。
【請求項２４】
境界面で、側壁はリップを画定し、カバーの周辺フランジがリップに当接する、請求項１５に記載の方法。
【請求項２５】
製品は喫煙製品および無煙タバコ製品の内の１つである、請求項１５〜２４のいずれか一項に記載の方法。
【発明の詳細な説明】
【技術分野】
【０００１】
本開示は、容器およびその使用方法に関する。より詳細には、本開示は、タバコ製品のための容器のパッケージおよび開封機構に関する。
【背景技術】
【０００２】
固形物、特に人間による消費を目的とした固形製品を分配するための様々なタイプの容器が当技術分野で知られている。そのような容器は、多くの場合、簡単に保管および輸送できる手持ちサイズによって特徴付けられている。そのような容器にしばしばパッケージされる消耗品の例には、無煙タバコ関連製品を含む多種多様な消費者製品が含まれる。
【０００３】
タバコは、いわゆる「無煙」の形態で楽しまれる場合もある。特に人気のある無煙タバコ製品は、任意の形態の加工されたタバコまたはタバコ含有配合物を使用者の口に挿入することによって利用される。例えば、Ｓｃｈｗａｒｔｚの米国特許第１，３７６，５８６号明細書、Ｌｅｖｉの米国特許第３，６９６，９１７号明細書、Ｐｉｔｔｍａｎ等の米国特許第４，５１３，７５６号明細書、Ｓｅｎｓａｂａｕｇｈ，Ｊｒ．等の米国特許第４，５２８，９９３号明細書、Ｓｔｏｒｙ等の米国特許第４，６２４，２６９号明細書、Ｔｉｂｂｅｔｔｓの米国特許第４，９９１，５９９号明細書、Ｔｏｗｎｓｅｎｄの米国特許第４，９８７，９０７号明細書、Ｓｐｒｉｎｋｌｅ，ＩＩＩ等の米国特許第５，０９２，３５２号明細書、Ｗｈｉｔｅ等の米国特許第５，３８７，４１６号明細書、Ｗｉｌｌｉａｍｓの米国特許第６，６６８，８３９号明細書、Ｗｉｌｌｉａｍｓの米国特許第６，８３４，６５４号明細書、Ａｔｃｈｌｅｙ等の米国特許第６，９５３，０４０号明細書、Ａｔｃｈｌｅｙ等の米国特許第７，０３２，６０１号明細書、Ａｔｃｈｌｅｙ等の米国特許第７，６９４，６８６号明細書、Ｄｕｂｅ等の米国特許第７，８１０，５０７号明細書、Ｓｔｒｉｃｋｌａｎｄ等の米国特許第７，８１９，１２４号明細書、およびＨｏｌｔｏｎ，Ｊｒ．等の米国特許第７，８６１，７２８号明細書、Ｗｉｌｌｉａｍｓの米国特許出願公開第２００４／００２０５０３号明細書、Ｑｕｉｎｔｅｒ等の米国特許出願公開第２００５／０１１５５８０号明細書、Ｓｔｒｉｃｋｌａｎｄ等の米国特許出願公開第２００５／０２４４５２１号明細書、Ｓｔｒｉｃｋｌａｎｄ等の米国特許出願公開第２００６／０１９１５４８号明細書、Ｈｏｌｔｏｎ，Ｊｒ．等の米国特許出願公開第２００７／００６２５４９号明細書、Ｒｏｂｉｎｓｏｎ等の米国特許出願公開第２００８／００２９１１６号明細書、Ｍｕａ等の米国特許出願公開第２００８／００２９１１７号明細書、Ｒｏｂｉｎｓｏｎ等の米国特許出願公開第２００８／０１７３３１７号明細書、Ｅｎｇｓｔｒｏｍ等の米国特許出願公開第２００８／０１９６７３０号明細書、Ｎｅｉｌｓｅｎ等の米国特許出願公開第２００８／０２０９５８６号明細書、Ｃｒａｗｆｏｒｄ等の米国特許出願公開第２００８／０３０５２１６号明細書、Ｅｓｓｅｎ等の米国特許出願公開第２００９／００６５０１３号明細書、Ｋｕｍａｒ等の米国特許出願公開第２００９／０２９３８８９号明細書、およびＧａｏ等の米国特許出願公開第２０１０／０２９１２４５号明細書、Ａｒｎａｒｐ等の国際公開第０４／０９５９５９号、およびＡｔｃｈｌｅｙの国際公開第１０／１３２４４４号に記載されている無煙タバコ配合物の種類、成分、および処理方法を参照されたく、これらの特許それぞれは、参照により本明細書に組み込まれる。
【０００４】
市販されている代表的な無煙タバコ製品には、Ｒ．Ｊ．Ｒｅｙｎｏｌｄｓ  Ｔｏｂａｃｃｏ  ＣｏｍｐａｎｙによるＣＡＭＥＬ  Ｓｎｕｓ、ＣＡＭＥＬ  Ｏｒｂｓ、ＣＡＭＥＬ  ＳｔｒｉｐｓおよびＣＡＭＥＬ  Ｓｔｉｃｋｓ、Ａｍｅｒｉｃａｎ  Ｓｎｕｆｆ  Ｃｏｍｐａｎｙ、ＬＬＣによるＧＲＩＺＺＬＹ湿性タバコ、ＫＯＤＩＡＫ湿性タバコ、ＬＥＶＩ  ＧＡＲＲＥＴＴルースタバコおよびＴＡＹＬＯＲ’Ｓ  ＰＲＩＤＥルースタバコ、Ｓｗｉｓｈｅｒ  Ｉｎｔｅｒｎａｔｉｏｎａｌ，Ｉｎｃ．によるＫＡＹＡＫ湿性嗅ぎタバコおよびＣＨＡＴＴＡＮＯＯＧＡ  ＣＨＥＷ噛みタバコ、Ｐｉｎｋｅｒｔｏｎ  Ｔｏｂａｃｃｏ  Ｃｏ．ＬＰによるＲＥＤＭＡＮ噛みタバコ、米国Ｓｍｏｋｅｌｅｓｓ  Ｔｏｂａｃｃｏ  ＣｏｍｐａｎｙによるＣＯＰＥＮＨＡＧＥＮ湿性タバコ、ＣＯＰＥＮＨＡＧＥＮパウチ、ＳＫＯＡＬ  Ｂａｎｄｉｔｓ、ＳＫＯＡＬパウチ、ＲＥＤ  ＳＥＡＬロングカットおよびＲＥＶＥＬ  Ｍｉｎｔ  Ｔｏｂａｃｃｏ  Ｐａｃｋｓ、ならびに米国Ｐｈｉｌｉｐ  ＭｏｒｒｉｓによるＭＡＲＬＢＯＲＯ  ＳｎｕｓおよびＴａｂｏｋａ  と呼ばれるものが含まれる。
【０００５】
一般的に「スヌース」と呼ばれる代表的な種類の嗅ぎタバコ製品は、ヨーロッパ、特にスウェーデンで、Ｓｗｅｄｉｓｈ  Ｍａｔｃｈ  ＡＢ、Ｆｉｅｄｌｅｒ＆Ｌｕｎｄｇｒｅｎ  ＡＢ、Ｇｕｓｔａｖｕｓ  ＡＢ、Ｓｋａｎｄｉｎａｖｉｓｋ  Ｔｏｂａｋｓｋｏｍｐａｇｎｉ  Ａ／ＳおよびＲｏｃｋｅｒ  Ｐｒｏｄｕｃｔｉｏｎ  ＡＢなどの企業によって、またはそれらを通じて製造されている。米国で入手可能なスヌース製品は、Ｒ．Ｊ．Ｒｅｙｎｏｌｄｓ  Ｔｏｂａｃｃｏ  Ｃｏｍｐａｎｙによって、ＣＡＭＥＬ  Ｓｎｕｓ  Ｆｒｏｓｔ、ＣＡＭＥＬ  Ｓｎｕｓ  Ｏｒｉｇｉｎａｌ、ＣＡＭＥＬ  Ｓｎｕｓ  Ｓｐｉｃｅなどの商品名で販売されている。
【０００６】
ＣＡＭＥＬ  Ｓｎｕｓ  Ｏｒｉｇｉｎａｌなどのスヌース製品は、通常、ティーバッグのような小さなパウチで提供される。パウチは通常、フリースの不織布材料であり、約０．４〜１．５グラムの低温殺菌されたタバコを含有する。これらの製品は通常、約１０〜３０分間使用者の口の中に留まる。他の特定の無煙タバコ製品とは異なり、スヌースは使用者による吐き出しを必要としない。
【０００７】
スヌース製品は、Ｆｏｓｔｅｒの米国特許第４，０９８，４２１号明細書およびＢｏｙｄの米国特許第４，１９０，１７０号明細書、ならびにＢｅｒｇｓｔｒｏｍ等の米国特許出願公開第２０１０／００６５０７６号明細書およびＬｏｆｇｒｅｅｎ−Ｏｈｒｎ等の米国特許出願公開第２０１０／００６５０７７号明細書に開示されているものなど、金属またはプラスチックから製造された缶、「パック」または「ポット」の中にパッケージされており、これらの特許のそれぞれは、参照により本明細書に組み込まれる。
【０００８】
特定の容器の望ましい特徴は、環境による影響から、とりわけ容器に保管されている製品を劣化させる可能性のある影響から製品を保護することである。例えば、湿気の多い環境では、湿気が製品を収容している保管スペースに侵入し、それにより製品が損傷したり、それ以外で製品が使用できなくなったりする可能性がある。他の例では、製品を適切に保管するために、容器によって形成されたエンクロージャの内部の通気が必要になる場合もある。
【先行技術文献】
【特許文献】
【０００９】
【特許文献１】米国特許第１，３７６，５８６号明細書
【特許文献２】米国特許第３，６９６，９１７号明細書
【特許文献３】米国特許第４，５１３，７５６号明細書
【特許文献４】米国特許第４，５２８，９９３号明細書
【特許文献５】米国特許第４，６２４，２６９号明細書
【特許文献６】米国特許第４，９９１，５９９号明細書
【特許文献７】米国特許第４，９８７，９０７号明細書
【特許文献８】米国特許第５，０９２，３５２号明細書
【特許文献９】米国特許第５，３８７，４１６号明細書
【特許文献１０】米国特許第６，６６８，８３９号明細書
【特許文献１１】米国特許第６，８３４，６５４号明細書
【特許文献１２】米国特許第６，９５３，０４０号明細書
【特許文献１３】米国特許第７，０３２，６０１号明細書
【特許文献１４】米国特許第７，６９４，６８６号明細書
【特許文献１５】米国特許第７，８１０，５０７号明細書
【特許文献１６】米国特許第７，８１９，１２４号明細書
【特許文献１７】米国特許第７，８６１，７２８号明細書
【特許文献１８】米国特許出願公開第２００４／００２０５０３号明細書
【特許文献１９】米国特許出願公開第２００５／０１１５５８０号明細書
【特許文献２０】米国特許出願公開第２００５／０２４４５２１号明細書
【特許文献２１】米国特許出願公開第２００６／０１９１５４８号明細書
【特許文献２２】米国特許出願公開第２００７／００６２５４９号明細書
【特許文献２３】米国特許出願公開第２００８／００２９１１６号明細書
【特許文献２４】米国特許出願公開第２００８／００２９１１７号明細書
【特許文献２５】米国特許出願公開第２００８／０１７３３１７号明細書
【特許文献２６】米国特許出願公開第２００８／０１９６７３０号明細書
【特許文献２７】米国特許出願公開第２００８／０２０９５８６号明細書
【特許文献２８】米国特許出願公開第２００８／０３０５２１６号明細書
【特許文献２９】米国特許出願公開第２００９／００６５０１３号明細書
【特許文献３０】米国特許出願公開第２００９／０２９３８８９号明細書
【特許文献３１】米国特許出願公開第２０１０／０２９１２４５号明細書
【特許文献３２】国際公開第２００４／０９５９５９号
【特許文献３３】国際公開第２０１０／１３２４４４号
【特許文献３４】米国特許第４，０９８，４２１号明細書
【特許文献３５】米国特許第４，１９０，１７０号明細書、
【特許文献３６】米国特許出願公開第２０１０／００６５０７６号明細書
【特許文献３７】米国特許出願公開第２０１０／００６５０７７号明細書
【発明の概要】
【発明が解決しようとする課題】
【００１０】
したがって、無煙タバコ製品などのための改善されたパッケージを提供することが望ましく、パッケージは美的に満足でき、容器を通気することによる環境の影響からの保護などの様々な有利な特徴を提供する。
【課題を解決するための手段】
【００１１】
本開示は、特定の実施形態において、購入前の製品の改ざんを防止することができる、容器の外面に接着されたラベルと、ラベルと容器の外面との間に取り付けられ、使用者による容器の開封を容易にすることができる開裂糸とを含む容器を提供する。一部の実施形態では、容器は、便利な手持ちサイズで提供されることができる。容器内に保管される製品のタイプおよび形態は、様々であり得る。特定の実施形態では、容器は、無煙タバコ製品を保管するために使用されることができる。
【００１２】
一実施形態では、本開示の容器は、底壁および側壁を有する本体を備える。底壁および側壁は、製品の保管用に適合された内部保管区画を画定する。側壁は外周面を有する。容器は、本体と取り外し可能に係合するように構成されたカバーをさらに備えることができ、カバーは、上壁と、内面を有する周辺フランジとを有し、内面は、境界面を形成するように、カバーが側壁の外周面上で受けられたとき本体と相互作用するように構成されている。容器はまた、境界面の少なくとも一部を実質的に覆うように構成されたラベルを備えることもでき、ラベルは、容器の外面とラベルの裏面との間に位置決めされた引き裂き糸を備える。一部の実施形態では、ラベルは、容器の境界面全体を実質的に覆うことができる。
【００１３】
様々な実施形態では、本体はポリマー材料で構成され、カバーは金属材料で構成される。一部の実施形態では、本体の側壁は、側壁の上部に配置されたネック領域を含み、ネック領域は、側壁の下部の直径と比較して縮小された直径を有し、カバーの内面は、ネック領域と相互作用するように構成されている。特定の実施形態では、容器は、側壁の外周面の周りにポリマー本体と一体式に形成され、かつ、そこから半径方向外向きに延びる周方向のリブ構造をさらに備え、リブ構造は、側壁の外周面の周りに周方向に延在する複数のリブセグメントを備え、リブセグメントは、それらの間に通気チャネルを形成するように離間されている。様々な実施形態では、境界面で、側壁はリップを画定し、カバーの周辺フランジがリップに当接する。
【００１４】
本明細書に記載される容器の様々な実施形態では、ラベルの裏面の少なくとも一部は、ラベルを容器の外面に接着するのに有用な接着材料を具備する。特定の実施形態では、ラベルの裏面全体が接着剤層を備える。様々な実施形態では、ラベルは、引き裂き糸がカバーと本体との間の境界面と実質的に整列するように位置決めされるように容器に貼り付けられる。
【００１５】
一部の実施形態では、ラベルは特定の長さを有し、引き裂き糸はラベルの全長に延在する。特定の実施形態では、引き裂き糸は、ラベルの長さの一部に沿って延在する。様々な実施形態では、引き裂き糸は、ラベルが容器の外面に接着された後、使用者が掴むのにその部分を利用できるように、ラベルの長さを超えて延在する部分を具備する。
【００１６】
様々な実施形態では、内部保管区画は複数の製品を含む。製品は、例えば、喫煙製品および無煙タバコ製品の内の１つであり得る。
【００１７】
パッケージ化された製品組立体を組み立てるための方法も本明細書で提供される。様々な実施形態において、本方法は、底壁および側壁を有する本体を提供することであって、底壁および側壁は、製品の保管用に構成された内部保管区画を画定し、側壁は外周面を有することと、本体に取り外し可能に係合するように構成されたカバーを提供することであって、カバーは上壁と、内面を有する周辺フランジとを有し、内面は、境界面を形成するように、カバーが側壁の外周面上で受けられたとき本体と相互作用するように構成されていることと、カバーを本体に結合することとを備えることができる。本方法は、製品を提供すること、および製品を内部保管区画に挿入することをさらに含むことができる。さらに、本方法は、透過性または不透過性材料のラベルまたは包装で容器を密封すること、または少なくとも部分的に容器を密封することを含むことができ、ラベルは境界面の少なくとも一部を実質的に覆うように構成されており、かつ、ラベルはラベルの裏面に接着された引き裂き糸を備える。
【００１８】
本発明は、限定することなく、以下の実施形態を含む。
【００１９】
実施形態１：底壁および側壁を備える本体であって、底壁および側壁は、製品の保管用に構成された内部保管区画を画定し、側壁は外周面を有する本体と、本体と取り外し可能に係合するように構成されたカバーであり、上壁と、内面を有する周辺フランジとを有し、内面は、境界面を形成するように、カバーが側壁の外周面上で受けられたとき本体と相互作用するように構成されているカバーと、境界面の少なくとも一部を実質的に覆うように構成されたラベルであり、容器の外面とラベルの裏面との間に位置決めされた引き裂き糸を備えるラベルとを備える容器。
【００２０】
実施形態２：本体はポリマー材料で構成され、カバーは金属材料で構成される、先行する実施形態のいずれかの容器。
【００２１】
実施形態３：側壁は側壁の上部に配置されたネック領域を備え、ネック領域は、側壁の下部の直径と比較して縮小された直径を有し、カバーの内面は、ネック領域と相互作用するように構成されている、先行する実施形態のいずれかの容器。
【００２２】
実施形態４：容器は、側壁の外周面の周りにポリマー本体と一体式に形成され、かつ、そこから半径方向外向きに延在する周方向のリブ構造をさらに備え、リブ構造は、側壁の外周面の周りに周方向に延在する複数のリブセグメントを備え、リブセグメントは、それらの間に通気チャネルを形成するように離間されている、先行する実施形態のいずれかの容器。
【００２３】
実施形態５：境界面で、側壁はリップを画定し、カバーの周辺フランジがリップに当接する、先行する実施形態のいずれかの容器。
【００２４】
実施形態６：ラベルの裏面の少なくとも一部は接着材料を具備する、先行する実施形態のいずれかの容器。
【００２５】
実施形態７：ラベルの裏面全体が接着剤層を備える、先行する実施形態のいずれかの容器。
【００２６】
実施形態８：引き裂き糸は、該引き裂き糸がカバーと本体の境界面と実質的に整列するように位置決めされる、先行する実施形態のいずれかの容器。
【００２７】
実施形態９：ラベルが特定の長さを有し、引き裂き糸は、ラベルの全長に延在する、先行する実施形態のいずれかの容器。
【００２８】
実施形態１０：ラベルが特定の長さを有し、引き裂き糸はその長さの一部に沿って延在する、先行する実施形態のいずれかの容器。
【００２９】
実施形態１１：ラベルが特定の長さを有し、引き裂き糸は、ラベルの長さを超えて延在する部分を備える、先行する実施形態のいずれかの容器。
【００３０】
実施形態１２：ラベルが実質的に境界面全体を覆う、先行する実施形態のいずれかの容器。
【００３１】
実施形態１３：内部保管区画は複数の製品を含む、先行する実施形態のいずれかの容器。
【００３２】
実施形態１４：製品は喫煙製品および無煙タバコ製品の内の１つである、先行する実施形態のいずれかの容器。
【００３３】
実施形態１５：パッケージ化された製品組立体を組み立てるための方法であって、底壁および側壁を有する本体を提供することであって、底壁および側壁が、製品の保管用に適合された内部保管区画を画定し、側壁が外周面を有することと、本体と取り外し可能に係合するように構成されたカバーを提供することであって、カバーは上壁と、内面を有する周辺フランジとを有し、内面は、境界面を形成するように、カバーが側壁の外周面上で受けられたとき本体と相互作用するように構成されていることと、製品を提供することと、製品を内部保管区画に挿入することと、カバーを本体に結合することと、ラベルで容器を密封することであって、ラベルは、境界面の少なくとも一部を実質的に覆うように構成されており、かつ、ラベルは、ラベルの裏面に接着された引き裂き糸を備えることと、を備える、パッケージ化された製品組立体を組み立てるための方法。
【００３４】
実施形態１６：本体はポリマー材料で構成され、カバーは金属材料で構成される、先行する実施形態のいずれかの方法。
【００３５】
実施形態１７：ラベルの裏面の少なくとも一部は接着材料を具備する、先行する実施形態のいずれかの方法。
【００３６】
実施形態１８：ラベルの裏面全体が接着剤層を備える、先行する実施形態のいずれかの方法。
【００３７】
実施形態１９：引き裂き糸は、境界面と実質的に整列するように位置決めされる、先行する実施形態のいずれかの方法。
【００３８】
実施形態２０：ラベルは特定の長さを有し、引き裂き糸はラベルの全長に延在する、先行する実施形態のいずれかの方法。
【００３９】
実施形態２１：ラベルは特定の長さを有し、引き裂き糸は、その長さの一部に沿って延在する、先行する実施形態のいずれかの方法。
【００４０】
実施形態２２：ラベルは特定の長さを有し、引き裂き糸はラベルの長さを超えて延在する部分を具備する、先行する実施形態のいずれかの方法。
【００４１】
実施形態２３：ラベルは実質的に境界面全体を覆う、先行する実施形態のいずれかの方法。
【００４２】
実施形態２４：境界面で、側壁はリップを画定し、カバーの周辺フランジがリップに当接する、先行する実施形態のいずれかの方法。
【００４３】
実施形態２５：製品は喫煙製品および無煙タバコ製品の内の１つである、先行する実施形態のいずれかの方法。
【００４４】
本開示のこれらおよび他の特徴、態様、および利点は、以下に簡単に説明される添付の図面とともに以下の詳細な説明を読むことから明らかになるであろう。本発明には、上記の実施形態の２つ、３つ、４つまたはそれ以上の任意の組み合わせのみならず、このような特徴または要素が本明細書の特定の実施形態の説明において明示的に組み合わされているかどうかに関わらず、本開示に記載される２つ、３つ、４つまたはそれ以上の特徴または要素の組み合わせも含まれる。本開示は、開示された発明のいずれかの分離可能な特徴または要素が、その様々な態様および実施形態のいずれかにおいて、文脈が明らかにそうではないことを示さない限り、組み合わせ可能であるように意図されているように見なされるように、全体的に読まれることが意図されている。
【００４５】
一般的な用語において本開示をこのように説明してきたが、次に添付の図面を参照されたく、これらは必ずしも一定の縮尺で描かれている訳ではない。
【図面の簡単な説明】
【００４６】
【図１】本開示の容器の実施形態の斜視図である。
【図２】本開示による容器の本体の実施形態の斜視図である。
【図３】図２の本体の一部の拡大図である。
【図４】図１の線４−４での拡大した断面図である。
【図５】ラベルが容器の外面に接着された、閉位置にある本開示の容器の実施形態の斜視図である。
【図６】本開示のラベルの正面の斜視図である。
【図７ａ】本開示のラベルの裏側の斜視図である。
【図７ｂ】本開示のラベルの裏側の斜視図である。
【図８】本明細書に記載される製品を組み立てるための例示的なプロセスを示すフロー図である。
【発明を実施するための形態】
【００４７】
ここで本開示は、特定の好ましい態様を参照して以下により完全に説明される。これらの態様は、この開示が完璧かつ完全であり、そして開示の範囲を当業者に十分に伝えるように提供されている。実際、本開示は多くの異なる形態で具体化されてよく、本明細書に記載の態様に限定されるように解釈されるべきではなく、むしろ、これらの態様は、本開示が適用可能な法的要件を満たすように提供されている。本明細書および添付の特許請求の範囲で使用されるように、単数形「ａ」、「ａｎ」、「ｔｈｅ」は、文脈が明らかにそうでないと指示しない限り、複数の変形を含める。
【００４８】
本発明の様々な実施形態では、容器を密封するのに役立つ外側ラベルまたはフィルムを有する容器が提供され、外側ラベルまたはフィルムは、開封を容易にするおよび／または容器を最初に開封する際のラベルまたはフィルムの除去を容易にする開裂糸または弱化した引き裂きストリップを含むか、またはそういったものに接着される。本出願に記載されている容器の実施形態は、任意の固体製品を保管するために使用することができるが、経口消費用に設計された製品にとりわけ適している。そのような容器にしばしばパッケージされる例示的な消耗品には、以下により詳細に記載されるように、無煙形態のタバコ製品を含む、多種多様な消費者製品が含まれる。
【００４９】
本発明で有用な例示的な容器は、Ｐａｔｅｌ等の米国特許出願公開第２０１２／０１９３２６５号明細書に開示されおり、この特許は、参照により本明細書に組み込まれる。本開示の容器の外面の形状は変化させ得る。図面に示される容器の実施形態は特定の輪郭を有するが、他の外面設計を有する容器も使用され得る。例えば、本開示の容器の側面または縁部は、平らにされる、丸められる、または面取りされる場合があり、容器外部の様々な表面または縁部は、凹状または凸状である場合がある。さらに、容器の対向する側部、端部または縁部は、容器が１つまたは複数の寸法でより幅が狭くなるように、平行な場合、または平行でない場合がある。
【００５０】
本明細書に記載される容器の寸法は、本開示から逸脱することなく変化させ得る。しかしながら、好ましい実施形態では、本開示の容器は、手で持った状態での操作および作業に適した円筒形のサイズを有するように説明することができる。そのような手持ち式の円筒形の実施形態の例示的な寸法には、約５０ｍｍ〜約１００ｍｍ、より典型的には約６０ｍｍ〜約８０ｍｍの範囲の直径が含まれる。壁の厚さの例には、約０．５ｍｍ〜約１．５ｍｍ、より典型的には約０．８ｍｍ〜約１．４ｍｍの範囲が含まれる。本開示の手持ち式容器の実施形態の例示的な深さは、約５ｍｍ〜約５０ｍｍ、より典型的には約８ｍｍ〜約３０ｍｍ、最も頻繁には約１５ｍｍ〜約２５ｍｍの範囲である。容器の一般的な外観の一例は、Ａｍｅｒｉｃａｎ  Ｓｎｕｆｆ  Ｃｏｍｐａｎｙ、ＬＬＣによって販売されている市販のＧＲＩＺＺＬＹおよびＫＯＤＩＡＫ製品に使用されているものである。
【００５１】
本開示の容器に保管される固体製品ユニットの数はまた、容器のサイズおよび製品ユニットのサイズに応じて変化し得る。典型的には、保管される製品ユニットの数は、約５〜約１００、より典型的には約１０〜約５０、そして最も頻繁には約１５〜約３０で変動することになる。
【００５２】
図１〜図４は、本開示による１つの容器の実施形態１０を示す。容器１０は、開放端の本体２０およびカバー４０によって形成されてよい。本体２０は、一部の例では実質的に平面であってよい底壁２２と（図２を参照）、一部の例では示されるように円筒形であってよい、底壁２２に依存する側壁２４とを有する。側壁２４は、側壁２４が外周面２８を含むように容器１０の周辺部分を画定する。底壁２２および側壁２４は協働して、製品の複数のユニットを保管するための内部保管区画２６を画定する。一部の例では、側壁２４の上部３０は、側壁の上部３０が、（側壁の外面の残りの部分の直径と比較して）縮小された直径のネック領域３４を有するようなやり方でリップ３２を画定してよい。本体２０の側壁２４に沿ったリップ３２の位置は、本開示から逸脱することなく変化することができ、これは、リップ３２と本体２０の上縁３８との間の距離が本開示にとって重要ではないことを意味している。
【００５３】
製品のユニットを内部保管区画２６内に封入するためにカバー４０が提供されてよい。この点に関して、カバー４０は、典型的には、スナップ嵌めまたは締まり嵌めによって本体２０に取り外し可能に固定される。図１に示されるように、カバー４０は、一部の例では実質的に平面であり得る上壁４２と、一部の例では円筒形であり得る、上壁４２に依存する周辺フランジ４４とを有する。カバー４０の周辺フランジ４４は、本体２０の側壁２４の間にエンクロージャを形成するように側壁２４上で受けられる。周辺フランジ４４は、実質的に平坦な、または滑らかな内面５０（図４）を含む。すなわち、内面５０には、典型的には、本体２０の側壁２４の外周面２８と相互作用するための突起、突出部、リブなどは含まれない。この点に関して、内面５０は、その円筒形構造の周りで実質的に滑らかであり、連続している。リップ３２が本体２０に設けられる一部の例では、周辺フランジ４４の縁部４６の少なくとも一部がリップ３２の表面３６と相互作用して、カバー４０が本体２０の上で受けられたときに止め具を形成することができる。言い換えると、縁部４６がリップ３２と相互作用する場合、カバー４０が本体に完全に着座したとき、カバー４０の縁部４６の少なくとも一部が表面３６の一部に当接するようになる。縁部４６および表面３６は、典型的には平面であるが、縁部４６および表面３６の一方または両方が、一部の実施形態では平面ではない輪郭を含む場合もあることが理解されるであろう。例えば、一部の実施形態では、縁部４６および表面３２は、対応するように輪郭付けられた係合表面を備えてもよい。
【００５４】
カバー４０の円筒形の外面４８は通常、本体２０の側壁２４とほぼ同一のサイズまたは直径を有し、カバーが本体のネック領域３４の上に配置され、本体の上に完全に着座するとき、カバーおよび本体は滑らかな外面を形成する。したがって、容器１０は、使用者による保管および輸送に適するように、コンパクトかつ平坦であってよい。
【００５５】
容器１０の構成材料は、変化してよい。材料の例には、金属、木材、および合成プラスチック材料が含まれる。ポリエチレン、ポリスチレン、ポリアミドなどの、所望の形状に押し出し成型できる、および／または成型できるポリマー材料が一般的に利用される。一部の実施形態では、本体２０はポリマー材料から形成され、一方でカバー４０は、例えばアルミニウムまたはブリキなどの金属材料から形成される。このような構成は、金属製のカバー４０（典型的には型打ちされる）を使用することにより審美的に魅力的な外観を提供する一方で、例えば射出成型プロセスを使用して本体をより安価に製造できるという点において有利である。金属材料で形成されたカバーの例は、Ａｍｅｒｉｃａｎ  Ｓｎｕｆｆ  Ｃｏｍｐａｎｙ、ＬＬＣが販売する市販のＣＡＭＥＬ  Ｓｎｕｆｆ、ＧＲＩＺＺＬＹ、およびＫＯＤＩＡＫ製品に使用されるものである。本体の例は、同じ製品に使用されるそのようなタイプの材料などの高分子材料を組み込んだものである。
【００５６】
様々な実施形態では、容器は、容器の基部に蓋を固定する、または密封するための手段を含むことができる。例えば、Ｐｉｐｅｓ等の米国特許出願公開第２０１４／０１９７０５４号明細書を参照されたく、この特許は、参照により本明細書に組み込まれる。例えば、特定の実施形態では、容器は、例えばプラスチックの射出成型を介して本体２０に適用される（参照により本明細書に組み込まれる、Ｐａｔｅｌ等の米国特許出願公開第２０１２／０１９３２６５号明細書に記載されるような）リブ構造を含むことができる）。
【００５７】
とりわけ図２および図３に示されるように、本体２０の外周面２８（および、設けられる場合、ネック領域３４）から突出しているのは、カバー４０とのシールを形成するように構成された周方向のリブ構造６０である。一部の態様では、例えば、本体２０がプラスチック射出成形プロセスによって形成される場合など、リブ構造は、本体２０の側壁２４と一体式に形成されてもよい。他の例では、リブ構造６０は、適切な機械的締結具または接着剤（例えば、エポキシ接着剤）で側壁２４に固定された、または他の方法で取り付けられた別個の構成要素であってもよい。本開示の一部の態様によれば、リブ構造６０は、本体２０の側壁２４の外周の周りに離間した関係で配置された（例えば、容器の本体が円筒形である場合、本体２０の側壁２４の周りに円周方向に位置決めされた）複数のリブセグメント６２によって形成されてよい。任意の数（例えば、約２〜約２０個のリブセグメントまたは約５〜約１５個のリブセグメント）リブセグメント６２が、本発明において有用な容器に提供されてよいが、好ましい実施形態には、１２個のそのようなリブセグメントが含まれる。各リブセグメント６２は、通気チャネル６４によって次の隣接するリブセグメント６２から隔てられている。各リブセグメント６２は、リブ壁６６およびリブ突出部６８を含んでよい。図４に示されるように、リブ突出部６８は、カバーが本体２０の側壁２４の上に位置決めされたとき、締まり嵌めでカバー４０の周辺フランジ４４と相互作用して、それらの間にシールを形成する。この点に関して、リブ突出部６８は、カバー４０が本体２０と係合されるとき、周辺フランジ４４を外周面２８の外側に向けて押しやることで境界面での緊密な適合を形成する。
【００５８】
様々な実施形態では、容器は、透過性または不透過性材料の周方向のラベルまたは包装で密封することができる。本開示に従って有用なラベルまたは包装材料は、変化し得る。一部の実施形態では、本明細書で提供されるラベルは、紙材料、ポリマー材料（例えば、１つまたは複数のポリマー成分から作製されたウェブ）、およびそれらの組み合わせを含むことができる。典型的には、パッケージ用のラベルまたは包装の選択は、審美性、所望のバリア特性（例えば、酸素への曝露からの保護を提供するため、または水分の損失からの保護を提供するため）などの要因に依存している。
【００５９】
本明細書で提供されるラベル８０は、前面８２および裏面８４を有することができる。一部の実施形態では、ラベルの前面は、容器を装飾し、かつ／または製品識別情報を提供するために、印刷および／または刻印を含むことができる。例えば、本明細書で提供されるラベルの前面は、印刷された文字、記号、写真、デザイン、色、または他の印を含むことができる。一部の実施形態では、製品識別情報は、製品ブランド、会社名、企業ロゴ、企業ブランド、商標、商号、マーケティングメッセージ、製品強度、投与量情報、有効成分、成分リストおよび量、製品製造日付、製品の有効期限、製品の香料、製品の薬学的放出プロファイル、重量、製品コード（例えばバッチコード）、その他の製品を区別する表示、およびそれらの組み合わせを識別することができる。本明細書で使用される際、「製品強度」は、使用者にパウチ内の有効成分の量の指標を与える情報を指す。
【００６０】
製品識別情報は、製品の使用者が製品を視覚的に検査し、それによって特定の製品を区別または識別することによって識別情報を認識することができるような方法で提示されることができる。製品識別情報は、例えば、ラベルの外面に印刷または染色される、ラベルの外面に刻印させる（例えば、エンボス加工、デボス加工、または他の方法でプレスされる）、ラベルの外面に堆積される、ラベルの外面に接着される、ラベルの外面と密接に接触するように位置決めされる、ラベルに織り込まれる、または縫い込まれる、あるいはそれ以外の方法でラベルの外面に取り付けられることができる。一部の実施形態では、製品識別情報は、材料の選択（例えば、組成が異なる、色が異なる、質感が異なる、厚さが異なる、または何らかの他の定義された特性が異なる材料）によって提供されることができる。様々な実施形態において、製品識別情報は、熱および圧力を介して貼り付けられることができる。一部の実施形態では、容器が製造されるときのラベルの貼付中に製品識別情報が提供される場合もある。様々な実施形態では、製品識別情報は、ラベル貼付プロセスとは別の二次プロセスで提供される場合もある。製品識別情報は、容器製造プロセスのどの時点でも提供されることができる。
【００６１】
一部の実施形態では、ラベル８０の裏面８４は、ラベルが別の物体の表面に接着されることを可能にする接着層を含むことができる。裏面全体に接着層を含めることができる。あるいは、裏面の一部またはラベルの裏面の指定された位置のみが、接着層、コーティング、またはそれに塗布された材料を含む場合もある。
【００６２】
図５に示されるように、例えば、ラベルの裏面８４は、本体２０の外周面２８およびカバー４０の円筒状の外面４８に接着させて結合されることができ、その結果、ラベルは、閉鎖位置にある容器の容器本体２０と容器カバー４０との間の境界面８５を覆う。ラベル８０は、容器の密封に寄与することができる。一部の実施形態では、本明細書で提供されるラベルは、容器がいつ開封されたかを示すことによって異物混入の証拠を提供することができる。この点に関して、様々な実施形態において本明細書で提供される引き裂き糸の使用などにより、ラベルが破かれたり外されたりした場合、容器が開封された、および／または他の方法で異物が混入された可能性があることの証拠であってよい。
【００６３】
図６および図７に示されるように、例えば、引き裂き糸９０がラベル８０の裏面８４に接着されることができる。したがって、ラベルが容器の外面に接着されると、引き裂き糸は、容器の外面とラベルの裏面との間に位置決めされることになる。様々な実施形態では、境界面で容器を開封することを可能にするために、引き裂き糸が接着ライン（例えば、境界面の上および／または下の）まで上に、または下にラベルを引き裂くことを可能にすることができるように、引き裂き糸がラベルと整列される領域にラベルの接着剤がない場合もある。
【００６４】
好ましい実施形態では、ラベルが容器に貼り付けられたとき、引き裂き糸が閉位置にある容器の容器本体２０と容器カバー４０との間の境界面８５とほぼ整列するように、引き裂き糸９０がラベルの裏面に位置決めされることができる。一部の実施形態では、引き裂き糸は、境界面８５のわずかに上またはわずかに下で位置合わせされる場合もある。
【００６５】
本明細書で使用される場合、「引き裂き糸」という用語は、１つまたは複数の長さの連続する繊維、ひも、糸、編み糸、可撓性の金属ストリップ、金属コアを有し、少なくとも部分的に繊維および／またはポリマー材料で囲まれたストリップなどを指す。様々な実施形態では、引き裂き糸は、繊維状材料、１つまたは複数のポリマー成分を含む押出しポリマー材料（例えば、ナイロン、フルオロカーボンなど）、およびそれらの組み合わせを含むことができる。一部の実施形態では、複数の連続繊維を一緒に束ねる、編組む、および／または織ることで引き裂き糸を形成することができる。引き裂き糸は、様々な断面輪郭のいずれかを有してよい。例えば、引き裂き糸は、丸い輪郭、多角形の輪郭、実質的に平坦な（例えば、リボン形状）の輪郭、不規則な形状の輪郭、三角形の輪郭などを有することができる。一部の実施形態では、引き裂き糸は、ラベルの引き裂き／切開を容易にすることができる、引き裂き糸の少なくとも一部および／または引き裂き糸の少なくとも一部に追加されたコーティングにわたって鋸歯状の輪郭を有することができる。
【００６６】
様々な実施形態では、引き裂き糸は、貼り付けられたときそれが容器の周囲の少なくとも一部に沿って延在するような長さＬを有することができる。様々な実施形態では、引き裂き糸は、ラベルの全長に沿って延在することができる（例えば、図７ａを参照）。一部の実施形態では、引き裂き糸は、ラベルの長さの一部のみに沿って延在する場合もある（例えば、図７ｂを参照）。引き裂き糸を使用してラベルを切断することで、指の爪、ナイフ、またはラベルを切断および／または剥離するのに有用な他の道具を使用せずに、容器を開封することができる。特定の実施形態では、ラベルの複数の独立した長さを個々に引き裂くことができるように、ラベルおよび引き裂き糸に輪郭を描くこともできる。例えば、ラベルは、ラベルの幅に沿って（例えば、引き裂き糸に対して垂直に）延びる１つまたは複数の穿孔された部分または繊維状になった部分を含むことができ、その結果、ラベルのセクションを、１つまたは複数の引き裂き糸によって独立して引き裂くことができる。
【００６７】
様々な実施形態では、引き裂き糸９０の一部９５は、ラベル８０の長さを超えて延在することができる。したがって、ラベル８０が容器に接着されるとき、引き裂き糸９０の一部９５は、容器の外面とラベルの裏面との間に位置決めされる代わりにラベル８０の側縁８３から固定されずに延在することになる。これにより、使用者は、引き裂き糸９０の固定されずに延長された部分９５を介して引き裂き糸を容易に掴むことができ、延長された部分９５を引っ張ることにより、容器の外面の少なくとも一部を囲むラベルを容易に切り裂くことができる。上記のように、一部の実施形態では、引き裂き糸９０は、境界面８５とほぼ整列するように位置決めされることができる。したがって、使用者が引き裂き糸を引っ張るとき、引き裂き糸は、容器の本体とカバーとの間の境界面に沿ってラベルを分割することができる。容器の内容物に到達した後、使用者は再び容器を閉鎖することができ、ラベルの外面にある製品識別情報を依然として見ることができることは合理的であり得る。
【００６８】
本明細書に記載の容器に収容することができる例示的なタバコ製品には、ペレット化タバコ製品（例えば、コイン、円筒形、豆、ペレット、球、球体、ストリップ、扁球、キューブ、ビーズなど一般的な形状に形成されたものなど、粉末または加工タバコから製造された圧縮または成形ペレット）、押し出し成形または鋳造されたタバコ片（例えば、所望の形状になるように形成された多層フィルムを含むストリップ、フィルム、またはシートとして）、固体基質によって担持されるタバコを組み込んだ製品（例えば、基質材料が食用穀物から非食用セルローススティックまでの範囲である場合）、押し出し成型または成形されたタバコを含有するロッドまたはスティック、外側シェル領域と内側コア領域とを有するタバコを含有するカプセル様の材料、ストロー状（例えば、中空に形成された）タバコを含有する形状、タバコを含有する小袋またはパケット（例えばスヌース様製品）、タバコを含有するガム片などが含まれる。さらに、例示的なタバコ製品は、例えば、湿性嗅ぎタバコ製品などのルース形態のタバコ配合物を含む。本開示の容器と共に使用されるルース形態のタバコの例には、例えば、Ａｍｅｒｉｃａｎ  Ｓｎｕｆｆ  Ｃｏｍｐａｎｙ，ＬＬＣによって販売されている市販のＧＲＩＺＺＬＹ湿式タバコ製品およびＫＯＤＩＡＫ湿式タバコ製品に関連するタバコ配合物が含まれてよい。
【００６９】
本開示の容器内にパッケージすることができる無煙タバコ組成物の例は、例えばＳｃｈｗａｒｔｚの米国特許第１，３７６，５８６号明細書、Ｓｐｅｅｒの米国特許第３，３６８，５６７号明細書、Ｐｉｔｔｍａｎ等の米国特許第４，５１３，７５６号明細書、Ｄｕｓｅｋ等の米国特許第４，６０６，３５７号明細書、Ｔｏｆｔ等の米国特許第４，８２１，７４９号明細書、Ｋｊｅｒｓｔａｄの米国特許第５，１６７，２４４号明細書、Ｗｈｉｔｅの米国特許第５，３８７，４１６号明細書、Ｗｉｌｌｉａｍｓの米国特許第６，６６８，８３９号明細書、Ｄｕｂｅ等の米国特許第７，８１０，５０７号明細書、Ｓｔｒｉｃｋｌａｎｄ等の米国特許第７，８１９，１２４号明細書、Ｓｔｒｉｃｋｌａｎｄ等の米国特許出願公開第２００５／０２４４５２１号明細書、Ｓｔｒｉｃｋｌａｎｄ等の米国特許出願公開第２００６／０１９１５４８号明細書、およびＲｏｂｉｎｓｏｎ等の米国特許出願公開第２００８／００２９１１６号明細書に記載されている。タバコを含有するガムの例は、Ｓｔｏｒｙ等の米国特許第４，６２４，２６９号明細書、Ｋｅｈｏｅの米国特許第４，９７５，２７０号明細書、およびＯｇｒｅｎの米国特許第４，８０２，４９８号に記載されている。無煙タバコ製品をパッケージするための様々な様式または方法が、Ａｒｎａｒｐ等の米国特許出願公開第２００４／０２１７０２４号明細書および米国特許出願公開第２００６／０１１８５８９号明細書、およびＢｊｏｒｋｈｏｌｍの米国特許出願公開第２００９／００１４４５０号明細書、およびＢｕｄｄの国際公開第２００６／０３４４５０号、Ｋｕｔｓｃｈ等の国際公開第２００７／０１７７６１号、およびＳｈｅｖｅｌｅｙ等の国際公開第２００７／０６７９５３号に記載されている。上記で引用された参考文献はすべて、参照によりその全体が本明細書に組み込まれる。
【００７０】
本開示の容器に含まれる製品として利用される無煙タバコ組成物は、多くの場合、タバコ（典型的には粒子形態）、甘味料、結合剤、着色剤、ｐＨ調整剤、充填剤、香味剤、崩壊助剤、抗酸化剤、口腔ケア添加物および防腐剤などの成分を含むことになる。例えば、その全体が参照により本明細書に組み込まれる、Ｈｏｌｔｏｎ等の米国特許第７，８６１，７２８号明細書を参照されたい。
【００７１】
タバコ配合物は、スヌースタイプの製品の製造に一般的に使用されるタイプであるパウチまたはバッグ（例えば、「ポーション」と呼ばれることもある密封された透湿パウチ）などの容器の中に含有されることができる。代表的な透過性パウチは、「フリース」タイプの素材で構成されることができる。そしてタバコ配合物は次には、Ｐａｔｅｌ等の米国特許出願公開第２０１２／０１９３２６５号明細書に開示されている容器などのパッケージの中に含有され、この特許は参照により本明細書に組み込まれる。パッケージはしっかりと密封され、その密封されたパッケージ内の大気条件が変更および／または制御されるように、適切な材料で構成されている。すなわち、密封されたパッケージは、水分および酸素などの組成物の通過を阻害する良好なバリアを提供することができる。さらに、密封されたパッケージ内の大気は、密封前に選択されたガス種（窒素、アルゴン、またはそれらの混合物など）をパッケージに取り込むか、または内部を真空引きする（真空密封）ことによってさらに改良されることができる。したがって、タバコ組成物が曝される大気条件は、準備、パッケージング、保管、および取り扱いの条件の間、制御される。
【００７２】
例示的なパウチは、使用者による使用中にパウチが制御されて分散または溶解するように、材料から、およびそのような方法で製造されてよい。そのようなパウチ材料は、メッシュ、スクリーン、穴のあいた紙、浸透性の布地などの形態を有してよい。例えば、メッシュ様のライスペーパー、または穴のあいたライスペーパーから製造されたパウチ材料は、使用者の口の中で溶解してよい。その結果、パウチおよびタバコ配合物はそれぞれ、通常の使用状態の間に使用者の口内に完全に消散してよく、したがって、パウチおよびタバコ配合物の両方が使用者によって摂取されてよい。他の例示的なパウチ材料は、水分散性フィルム形成材料（例えば、アルギン酸塩、カルボキシメチルセルロース、キサンタンガム、プルランなどの結合剤）、ならびに粉砕セルロースなどの材料（例えば、微粒子サイズの木材パルプ）と組み合わせたそうした材料を使用して製造されてよい。好ましいパウチ材料は、水和性または水溶解性であるが、通常の使用条件下で、パウチがその物理的完全性を失わないうちに、かなりの量のタバコ配合物内容物がパウチ材料に浸透するように設計および製造されてよい。必要に応じて、香味成分、崩壊助剤、および他の所望の成分がパウチ材料に組み込まれるか、またはパウチ材料に適用されてもよい。スヌース製品の様々な成分およびその成分の説明も、Ｌｕｎｄｉｎ等の米国特許出願公開第２００４／０１１８４２２号明細書に記載されており、この特許は参照により本明細書に組み込まれる。例えば、Ｌｉｎｄｅｎの米国特許４，６０７，４７９号明細書、Ｎｉｅｌｓｅｎの米国特許第４，６３１，８９９号明細書、Ｗｙｄｉｃｋ等の米国特許第５，３４６，７３４号明細書、Ｄｅｒｒの米国特許第６，１６２，５１６号明細書、およびＨａｎｓｓｏｎ等の米国特許出願公開第２００５／００６１３３９号明細書も参照されたく、これらの特許のそれぞれは、参照により本明細書に組み込まれる。また、Ｋｊｅｒｓｔａｄの米国特許第５，１６７，２４４号明細書に記載されているパウチの代表的なタイプ、およびパウチの材料またはフリースも参照されたく、この特許は参照により本明細書に組み込まれる。スヌース製品は、Ｍｅｒｚ  Ｖｅｒｐａｃｋｕｎｇｍａｓｃｈｉｎｅｎ  ＧｍＢＨからＳＢ  ５１−１／Ｔ、ＳＢＬ  ５０およびＳＢ  ５３−２／Ｔとして入手可能な装置を使用して製造されることができる。イタリアからのＧ．Ｄ  ＳｐＡは、タバコパウチング機器も供給している。スヌースパウチは、個々のパウチまたは複数のパウチとして提供されることができ、ひとつなぎのより糸またはパウチ母材から、使用するために単一のパウチまたは個々の部分を簡単に取り出すことができるように、一緒に接続または連結（例えば、端と端を付けて）されることができる。
【００７３】
パッケージ化された製品組立体を組み立てるための方法１００も提供される。図８に示されるように、方法は、操作１０５でカバーを提供することを含むことができる。この方法はまた、操作１１０で保管区画を画定する基部本体を提供することを含むこともできる。基部は、底壁と、底壁から基部開口部を画定する上部リップまで延在する１つ以上の基部側壁とを備えることができる。方法はさらに、操作１１５で製品の複数のユニットを提供することを含むことができる。製品のユニットは本体の保管区画に挿入されることができる。方法はまた、容器がしっかりと閉鎖され、カバーとベースとの間に境界面が形成されるように、操作１２０でカバーを基部に結合することも含んでよい。本開示の容器が所望の製品で満たされると、操作１３０で、透過性または不透過性材料の周方向のラベルまたは包装で容器を密封することができ、ラベルは、カバーとベースとの間の界面を覆う。一部の実施形態では、ラベル材料の裏面全体が、容器の外面に接着する接着剤を具備することに留意されたい。特定の実施形態では、ラベル材料の裏面の一部のみが、ラベル材料によって覆われている容器の外面の一部に接着する接着剤を具備する。ラベルを容器に接着する前に、操作１２５で、引き裂き糸を任意選択でラベルの裏面に接着させることができる。特定の実施形態では、既に引き裂き糸がそこに接着されている引き裂きラベル材料が提供され、操作１２５は必要ない。一部の実施形態では、本明細書で提供されるラベルは、既存のラベリング装置（例えば、無煙タバコ容器をラベリングするための標準的なラベリング装置）と共に使用されることができる。
【００７４】
本明細書に記載された開示の多くの修正形態および他の態様は、前述の説明および関連する図面に提示された教示の恩恵を受けて、本開示が関係する当業者が思い浮かべるであろう。したがって、本開示は開示された特定の態様に限定されるべきではなく、修正形態および他の態様は添付の特許請求の範囲内に含まれることが意図されることを理解されたい。本明細書では特定の用語が使用されているが、それらは一般的かつ説明的な意味でのみ使用されており、限定の目的では使用されていない。
【図１】
2021514908.tif 000003
【図２】
2021514908.tif 000004
【図３】
2021514908.tif 000005
【図４】
2021514908.tif 000006
【図５】
2021514908.tif 000007
【図６】
2021514908.tif 000008
【図７ａ】
2021514908.tif 000009
【図７ｂ】
2021514908.tif 000010
【図８】
2021514908.tif 000011
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
底壁および側壁を有する本体であり、底壁および側壁は、製品の保管用に適合された内部保管区画を画定し、側壁は外周面を有する本体と、
本体と取り外し可能に係合するように構成されたカバーであり、上壁と、内面を有する周辺フランジとを有し、内面は、境界面を形成するように、カバーが側壁の外周面上で受けられたとき本体と相互作用するように構成されているカバーと、
境界面の少なくとも一部を実質的に覆うように構成されたラベルであり、容器の外面とラベルの裏面との間に位置決めされた引き裂き糸を備えるラベルと
を備える容器であって、
ラベルの裏面は、接着材料を具備する領域と、引き裂き糸が接着材料の無い状態でラベルと整列される領域とを含む、容器。
【請求項２】
本体がポリマー材料で構成され、カバーが金属材料で構成される、請求項１に記載の容器。
【請求項３】
側壁が、側壁の上部に配置されたネック領域を備え、ネック領域が、側壁の下部の直径と比較して縮小された直径を有し、カバーの内面が、ネック領域と相互作用するように構成されている、請求項１に記載の容器。
【請求項４】
容器は、側壁の外周面の周りにポリマー本体と一体式に形成され、かつ、そこから半径方向外向きに延在する周方向のリブ構造をさらに備え、リブ構造は、側壁の外周面の周りに周方向に延在する複数のリブセグメントを備え、リブセグメントが、それらの間に通気チャネルを形成するように離間されている、請求項２に記載の容器。
【請求項５】
境界面で、側壁はリップを画定し、カバーの周辺フランジがリップに当接する、請求項１に記載の容器。
【請求項６】
引き裂き糸が、引き裂き糸がカバーと本体の境界面と実質的に整列するように位置決めされる、請求項１に記載の容器。
【請求項７】
ラベルは特定の長さを有し、引き裂き糸は、ラベルの全長に亘って延在する、請求項１に記載の容器。
【請求項８】
ラベルは特定の長さを有し、引き裂き糸は、その長さの一部に沿って延在する、請求項１に記載の容器。
【請求項９】
ラベルは特定の長さを有し、引き裂き糸は、ラベルの長さを超えて延在する部分を含む、請求項１に記載の容器。
【請求項１０】
ラベルは実質的に境界面全体を覆う、請求項１に記載の容器。
【請求項１１】
内部保管区画は複数の製品を含む、請求項１〜１０のいずれか一項に記載の容器。
【請求項１２】
製品は喫煙製品および無煙タバコ製品の内の１つである、請求項１１に記載の容器。
【請求項１３】
パッケージ化された製品組立体を組み立てる方法であって、
底壁および側壁を有する本体を提供することであって、底壁および側壁が、製品の保管用に適合された内部保管区画を画定し、側壁は外周面を有している、当該本体を提供することと、
本体と取り外し可能に係合するように構成されたカバーを提供することであって、カバーは、上壁と、内面を有する周辺フランジとを有し、内面は、境界面を形成するように、カバーが側壁の外周面上で受けられたとき本体と相互作用するように構成されている、当該カバーを提供することと、
製品を提供することと、
製品を内部保管区画に挿入することと、
カバーを本体と結合することと、
ラベルで容器を密封することであって、ラベルが、境界面の少なくとも一部を実質的に覆うように構成されており、かつラベルが、容器の外面と裏面ラベルとの間に位置決めされたき裂き糸を具備している、当該ラベルで容器を密封することと、
を備え、
ラベルの裏面は、接着材料を含む領域と、引き裂き糸が接着材料の無い状態でラベルと整列される領域とを含む、パッケージ化された製品組立体を組み立てる方法。
【請求項１４】
本体がポリマー材料で構成され、カバーが金属材料で構成される、請求項１３に記載の方法。
【請求項１５】
引き裂き糸が、境界面と実質的に整列するように位置決めされる、請求項１３に記載の方法。
【請求項１６】
ラベルが特定の長さを有し、引き裂き糸が、ラベルの全長に亘って延在する、請求項１３に記載の方法。
【請求項１７】
ラベルが特定の長さを有し、引き裂き糸が、その長さの一部に沿って延在する、請求項１３に記載の方法。
【請求項１８】
ラベルが特定の長さを有し、引き裂き糸が、ラベルの長さを超えて延在する部分を備える、請求項１３に記載の方法。
【請求項１９】
ラベルは実質的に境界面全体を覆う、請求項１３に記載の方法。
【請求項２０】
境界面で、側壁はリップを画定し、カバーの周辺フランジがリップに当接する、請求項１３に記載の方法。
【請求項２１】
製品は喫煙製品および無煙タバコ製品の内の１つである、請求項１３〜２０のいずれか一項に記載の方法。
【国際調査報告】
2021514908.tif 000012
2021514908.tif 000013
2021514908.tif 000014